(57)【要約】【課題】ズームレンズ手段の焦点との関係に着目して、照射光制御手段を配設し、照射光を良好に制御できる照明装置及び照明システムを提供することを目的とする。【解決手段】本発明は、被照射体に光を照射する光源手段７と、光源手段７から照射される光が通過するズームレンズ手段８と、光源手段７とズームレンズ手段８との間に介在され、かつズームレンズ手段８の焦点１５と一致しない位置に配設された照射光制御手段１０としての調光手段１０ａとを設けた照明装置１である。【選択図】図１
2008084784.tif 000002
【特許請求の範囲】
【請求項１】
被照射体に光を照射する光源手段と；
光源手段から照射される光が通過するズームレンズ手段と；
光源手段とズームレンズ手段との間に介在され、かつズームレンズ手段の焦点と一致しない位置に配設された照射光制御手段としての調光手段と；
を具備することを特徴とする照明装置。
【請求項２】
照射光制御手段は、調光手段を含む複数種の手段から構成されていることを特徴とする請求項１記載の照明装置。
【請求項３】
被照射体に光を照射する光源手段と；
光源手段から照射される光が通過するズームレンズ手段と；
光源手段とズームレンズ手段との間に介在された複数種の照射光制御手段と；
を具備し、複数種の照射光制御手段のうち一つをズームレンズ手段の焦点と一致する位置に配設し、他の照射光制御手段をズームレンズ手段の焦点と一致しない位置に配設することを特徴とする照明装置。
【請求項４】
照射光制御手段は、ループ状シートで構成されていることを特徴とする請求項１乃至請求項３のいずれか一に記載の照明装置。
【請求項５】
ループ状シートは、その回動によっても、光源手段から光が照射される部分の前面及び後面が、常に一定の組合わせで対向するように構成されていることを特徴とする請求項４記載の照明装置。
【請求項６】
請求項１乃至請求項５のいずれか一に記載の照明装置と；
照明装置と接続され、照明装置に制御信号を供給する照明装置制御機構と；
を具備することを特徴とする照明システム。
【発明の詳細な説明】
【技術分野】
【０００１】
この発明は、テレビスタジオや舞台等の演出照明に用いられる照明装置及び照明システムに関する。
【背景技術】
【０００２】
従来、この種、照明装置において、光源とガラスレンズとの間にカラーフィルターを複数段設け、光色を変更可能な照明器具が知られている（「特許文献１」参照）。また、特許文献１には、加えて、ランプは、電子式調光器に接続されてもよいし、機械式調光装置によって明度ないしは強度が調節されてもよい旨記載されている。
【特許文献１】特開平６−１６２８０５号公報
【発明の開示】
【発明が解決しようとする課題】
【０００３】
しかしながら、特許文献１に示されたものは、光色を変更可能なカラーフィルターを設けたものであって、調光を行うものではなく、しかも、このカラーフィルターをズームレンズの焦点との関係に着目して配設したものでもない。
【０００４】
また、特許文献１には、ランプからの光を調光する思想が開示されてはいるものの、その具体的態様は、何ら示されていない。
【０００５】
さらに、一般的には、高圧放電ランプは、その特性上、電子的な調光が困難であり、また、シャッター等の機械式調光による場合は、非調光（全光）時に通過光量のロスが大きくなる不都合が生じていた。
【０００６】
そこで、本発明は、ズームレンズ手段の焦点との関係に着目して、照射光制御手段を配設し、照射光を良好に制御できる照明装置及び照明システムを提供することを目的とする。
【課題を解決するための手段】
【０００７】
本発明の請求項１に記載の照明装置は、被照射体に光を照射する光源手段と、光源手段から照射される光が通過するズームレンズ手段と、光源手段とズームレンズ手段との間に介在され、かつズームレンズ手段の焦点と一致しない位置に配設された照射光制御手段としての調光手段とを具備することを特徴とする。
【０００８】
本発明の請求項２に記載の照明装置は、請求項１記載の照明装置において、照射光制御手段は、調光手段を含む複数種の手段から構成されていることを特徴とする。
【０００９】
照射光制御手段としては、調光手段、調色手段、光沢制御手段１０ｄ、形状制御手段等、各種手段が考えられる。
【００１０】
本発明の請求項３に記載の照明装置は、被照射体に光を照射する光源手段と、光源手段から照射される光が通過するズームレンズ手段と、光源手段とズームレンズ手段との間に介在された複数種の照射光制御手段とを具備し、複数種の照射光制御手段のうち一つをズームレンズ手段の焦点と一致する位置に配設し、他の照射光制御手段をズームレンズ手段の焦点と一致しない位置に配設することを特徴とする。
【００１１】
本発明の請求項４に記載の照明装置は、請求項１乃至請求項３のいずれか一に記載の照明装置において、照射光制御手段は、ループ状シートで構成されていることを特徴とする。
【００１２】
シートは、フィルムやフィルターと称されるものを含み、また、アルミ箔やステンレス箔からなるものを含む概念である。
【００１３】
照射光制御手段を複数種設ける場合は、ループ状シートで構成する照射光制御手段は、少なくとも一種でよいが、全てをループ状シートで構成してもよい。
【００１４】
本発明の請求項５に記載の照明装置は、請求項４記載の照明装置において、ループ状シートは、その回動によっても、光源手段から光が照射される部分の前面及び後面が、常に一定の組合わせで対向するように構成されていることを特徴とする。
【００１５】
常に一定の組合わせとは、ループ状シートの前面及び後面がずれることがないことを意味するが、機能上支障のない多少のずれは許容する。
【００１６】
本発明の請求項６に記載の照明システムは、請求項１乃至請求項５のいずれか一に記載の照明装置と、照明装置と接続され、照明装置に制御信号を供給する照明装置制御機構とを具備することを特徴とする。
【００１７】
照明装置と照明装置制御機構との接続は、有線や無線で接続されることを意味する。
【００１８】
なお、各請求項に記載された発明において、照射光制御手段の配設位置について、ズームレンズ手段の焦点と一致する位置又は一致しない位置は、幾何学的に厳密な位置を意味するものではない。
【発明の効果】
【００１９】
本発明によれば、ズームレンズ手段の焦点との関係に着目して、照射光制御手段を配設し、照射光を良好に制御できる照明装置及び照明システムを提供することができる。
【発明を実施するための最良の形態】
【００２０】
本発明の照明装置の第１の実施形態を図１乃至図３を参照して説明する。図１は、照明装置の一部を切欠いて示す概略説明図、図２は、照射光制御手段としての調光手段を取り出して示す概略斜視図、図３は、調光手段の一部を取り出して示す展開図である。
【００２１】
図１において、照明装置１は略円筒状の本体ケース２、吊下げ用ハンドル３及び可動ミラー４から構成されている。本体ケース２内には、本体ケース２と同様に円筒状の内ケース５が設けられている。この内ケース５には、上方から順次、反射板６、光源手段７、照射光制御手段１０、ズームレンズ手段８の光学系が直線的に設けられている。反射板６は、円弧状に曲成されており、光源手段７からの光を下方に反射するものである。
【００２２】
光源手段７としては、ＨＩＤランプが用いられているが、白熱電球、ハロゲンランプ等を用いることもできる。
【００２３】
次に、照射光制御手段１０としては、調光手段１０ａが設けられている。調光手段１０ａは、内ケース５に立設されたモータ等により回動される２本の駆動ローラ９と、同様に立設された４本の従動ローラ１１及びこれらローラに巻き付けられたループ状フィルム１２から構成されている。なお、駆動ローラは、１本としても差し支えなく、この場合でもループ状フィルム１２を駆動可能である。このループ状フィルム１２は、全体側面形状を略コ字状となしている。
【００２４】
従動ローラ１１は、ループ状フィルム１２を略コ字状に維持しながら、ループ状フィルムを回動するのを支援する役目をなす。
【００２５】
図３は、ループ状フィルム１２の一部パターンを示している。このループ状フィルム１２は、遮光材を用いており、長手方向に沿い３列の円形開口１２ａが形成されている。そして、３列の円形開口１２ａは図示右方向に沿うに従い、徐々に小さくなるように形成されている。つまり、フィルム１２の開口率が連続的に変化するようになっており、図示右方向に沿うに従い開口率が小さくなるように構成されている。なお、図示しないがループ状フィルム１２には、光源手段７からの照射光をほとんど遮ることがない拡大開口も形成している。
【００２６】
また、内ケース５の内の適宜位置に図示しないフォトセンサーが設けられおり、一方、フィルム１２の下側には、このフォトセンサーに対向する位置にアルミ箔等の位置決めマーカ１２ｂが連続して複数個貼着されている。
【００２７】
ズームレンズ手段８は、光源手段７から出た光を所望の領域に集束可能な機能を有するもので、組レンズにより構成されている。
【００２８】
吊下げ用ハンドル３は、本体ケース２の上部にボルト３ａで固着されており、このハンドルによって照明装置１を天井から吊下げたり、バトンと称される照明装置保持体に取着したりできるようになっている。
【００２９】
可動ミラー４は、リング状回転体４ａ、ミラー部支持体４ｂ及びミラー４ｃから構成されている。リング状回転体４ａは、本体ケース２の下部に取着され、図示しないモータ等の駆動機構により適宜位置に停止可能な如く回転自在な構成となっている。そして、リング状回転体４ａには、対向する位置にミラー部支持体４ｂが取着されており、ミラー部支持体４ｂは、支点を中心として矢印Ａ方向に首振り自在で、かつ所望角度の位置で停止できるようになっている。
【００３０】
ミラー部支持体４ｂの先端には、ミラー４ｃが取着されている。ミラー４ｃは、ミラー取着部４ｄを支点として図示上、上下（矢印Ｂ）及び左右（矢印Ｃ）に首振り自在でかつ、所望位置に停止できるようになっている。
【００３１】
以上のリング状回転体４ａ、ミラー部支持体４ｂ及びミラー４ｃは、いずれもモータ等の駆動機構により駆動されるようになっている。
【００３２】
なお、１３は、本体ケース２と内ケース５との間に設けられた光源手段点灯装置であり、１４は、モータの駆動機構である。この光源手段点灯装置１３と駆動機構１４は、本体ケース２と内ケース５とによりカバーされ、熱的影響を受け難くなっている。
【００３３】
次に、本実施形態の動作を説明する。図１において、ズームレンズ手段８の内側焦点１５を一点鎖線の交点で示す。まず、天井等から吊下げられた照明装置１において、光源手段７を点灯すると、その光は反射板６からの反射光とともに、下方に照射される。その下方光は、調光手段１０ａ、ズームレンズ手段８を通過する。そして、その通過光は、一方のミラー４ｃで受けられ、他方のミラー４ｃから所望の場所に照射されることとなる。
【００３４】
ここで、リング状回転体４ａ、ミラー部支持体４ｂ、ミラー４ｃは、その回転位置又は首振り位置が適宜調節可能であるため、照射光を所望の場所に照射することが達成できる。
【００３５】
なお、リング状回転体４ａ、ミラー部支持体４ｂ、ミラー４ｃの回転駆動、ズームレンズ手段８の駆動等は、図示しない中央制御盤、リモコン等の照明装置制御機構の操作により行われる。照明装置制御機構と照明装置１とは、有線又は無線で接続されるようになっており、照明装置制御機構の操作により、照明装置制御機構は、制御信号を発生し、その信号を照明装置１に供給する。照明装置１は、信号を受信し、所定の動作を実行する。
【００３６】
次に、調光手段１０ａは、ループ状フィルム１２がローラに沿って連続的に回動するようになっており、所望の調光位置で停止できるようになっている。これは、フィルム１２の位置決めマーカ１２ｂをフォトセンサーで読み取り、所望の調光状態を選定するように行われる。すなわち、位置決めマーカ１２ｂ毎に番地が決められており、この番地をリモコン等の照明装置制御機構で選択し、その後モータを駆動させ、選択した番地位置で止まることにより、結果的に、選定した調光状態で被照射体を照らすことができるものである。
【００３７】
さらに、詳述すると、フィルム１２はループ状であるため、光源手段７からの光を前面に位置したフィルム部１２１と後面に位置したフィルム部１２２との２面で受け、通過することとなる。この場合、フィルム１２は前記２面の開口率、換言すれば、光透過率の組合わせに従い、調光が行われることになる。また、２面の開口率の組合わせにより、明→暗、暗→明へと徐々に明るさが連続的に変わる、いわゆるグラデーション効果も達成可能である。この場合は、フィルム１２を一定速度で連続的に回動させればよい。
【００３８】
なお、２面の組合わせを拡大開口同士を対向するようにすれば、非調光（全光）状態とすることもできる。
【００３９】
また、フィルム１２はループ状であることにより、モータ等の正逆回転で双方向に回動させるようにすればよく、巻き取り、巻き戻しといった動作が不要となり、構成も単純化できる。加えて、フィルム１２は、全体側面形状が略コ字状に巻かれているため、つまり、曲折状になっているため直線状に構成した場合に比較してフィルム１２の長さを長くでき、調光の変化、すなわち、照射光制御の変化に富むものとすることが可能となる。
【００４０】
ループ状フィルム１２は、ズームレンズ手段８の焦点１５と一致しない位置に配設されているので、調光された光はフィルム１２の開口１２ａの輪郭等が明確に表れず、柔らかな緩慢な光となり、むらが少なく均一化した照射光とすることが期待できる。
【００４１】
なお、上記実施形態において、ループ状フィルム１２は、図４及び図５の一部展開図に示すように、開口１２ｃ、１２ｄを傾斜状に徐々に狭めるようにしてもよく、また、黒色→灰色→透明といったように色調の濃淡を連続的に変化させてグラデーション効果をもたせてもよい。
【００４２】
さらにまた、上記実施形態においては、フィルム１２をループ状に構成したものについて説明したが、ループ状ではなく、駆動ローラにフィルム両端を接続し、モータの駆動に応じて駆動ローラにフィルムが巻き取られ、巻き戻しされるタイプのものであっても適用可能である。
【００４３】
以上のように本実施形態によれば、調光した光を均一化でき、光の質を高めることができ、さらに、調光にあたっては、グラデーション効果をもたらすことができる。
【００４４】
次に、本発明の第２の実施形態について、図６乃至図１０及び図３を参照して説明する。なお、第１の実施形態と同一又は相当部分には、同一符号を付しその詳細な説明は省略する。
【００４５】
図６は、照明装置の一部を切欠いて示す概略説明図、図７は、照射光制御手段を取り出して示す概略斜視図、図８乃至図１０は、照射光制御手段の一部を取り出して示す展開図である。
【００４６】
第１の実施形態と異なるのは、照射光制御手段１０の種類、構成である。本実施形態においては、照射光制御手段１０は、調色手段１０ｂ、調光手段１０ａ、形状制御手段１０ｃ、光沢制御手段１０ｄから構成されている。各手段は、図７に示すように、ループ状フィルム１２が２本の駆動ローラ９と２本の従動ローラ１１に巻き付けられて、全体側面形状を略Ｌ字状をなして構成されている。
【００４７】
まず、光源手段７側から第１段目には、調色手段１０ｂが配設されている。この調色手段１０ｂは、図８に示すように透光性ループ状カラーフィルム１２からなり、このフィルム１２は、長手方向に複数の色が区分けされて単位カラーフィルムをなし、この単位カラーフィルムが連続してつながってループ状となっている。単位カラーフィルムは、透過光を赤色にする赤色部、緑色にする緑色部、青色にする青色部、白色にする白色部及び透明部を含んで連結している。所望の色光を投光する機能を果すものである。
【００４８】
次に、第２段目には、調光手段１０ａが配設されている。この調光手段１０ａは、第１の実施形態で説明したものと同様に図３に示すようなグラデーション効果をもたらすものである。
【００４９】
次に、第３段目には、形状制御手段１０ｃが配設されている。この形状制御手段１０ｃは、図９に示すように遮光材からなる単位フィルムを連続してつなげて形成し、星形、三日月形等、各種形状の開口１２ｅを形成している。なお、単位フィルムとして透明部を含んでもよい。該手段は、被照射部に特定の形状の投光をなす機能を果すものである。
【００５０】
形状制御手段１０ｃは、図６の紙面上、Ｌ字状一辺面が垂下している形態をなしており、この垂下した一辺面が光源手段７から光を受ける受光面１２３をなしている。
【００５１】
次に、第４段目には、光沢制御手段１０ｄが配設されている。この光沢制御手段１０ｄは、図１０に示すように偏光フィルムからなり、長手方向に、振動方向の異なる光を透過させる数種類の単位偏光フィルムが連続してつながってループ状をなしている。この偏光フィルムは、特定の振動方向の光だけを透過させるので、被照射体に対し乱反射等からの光のギラつきを抑えることができる効果をなすものである。
【００５２】
以上のように各手段は、全体側面形状を略Ｌ字状となし、省スペースに配設されるよう適宜組合わされて構成されている。
【００５３】
次に、本実施形態の動作について説明する。第１に、光源手段７からの光は調色手段１０ｂを通過する。調色手段１０ｂは、カラーフィルムであり、光は前面及び後面のフィルム部を通過することにより、所定の色光に変色する。
【００５４】
第２に、その光は、同様に調光手段１０ａを通過し、所望の明るさに調光され、第３に、形状制御手段１０ｃを通過し、所望の形状の投光とされ、第４に、光沢制御手段１０ｄを通過し、所望の光沢感の投光となり、ズームレンズ手段８から可動ミラー４へ到達する。
【００５５】
ここで、ズームレンズ手段８の内側焦点１５は、形状制御手段１０ｃの受光面１２３と一致した位置にある。そして、他の照射光制御手段１０は、焦点１５と一致しない位置に配設されている。したがって、光源手段７からの光は、形状においては、ある程度くっきりした輪郭をなした照射光となるが、色、明るさ、光沢については、むらが少なく均一化された照射光となる。
【００５６】
各照射光制御手段１０は、モータ等の駆動により、そのループ状フィルム１２を適宜選択した位置に停止でき、また、連続して回動することもできる。したがって、フィルム前後２面の組合わせ、また、その組合わせに従う各照射光制御手段１０の組合わせにより、多様な種類の照射光を創り出すことができる。
【００５７】
以上のように、本実施形態によれば、第１の実施形態の効果に加え、演出内容に従い、変化に富んだ多様な演出照明を提供できる。
【００５８】
また、ループ状フィルム１２は、各照射光制御手段とも略共通構成であり、構造が簡単となる。
【００５９】
さらに、ループ状フィルム１２は全体側面形状が略Ｌ字状のものをスペースを考慮して適宜組合わせることにより、省スペース化できる。
【００６０】
なお、本実施形態において、形状制御手段１０ｃは、ズームレンズ手段８の焦点１５と一致した位置に配設したが、照射光が明確な輪郭が要求されない場合は、焦点１５と一致しない位置に配設してもよい。この場合、照射光は、形状はくっきり表れないが、柔らかな緩慢な形状となって表れる。
【００６１】
要するに、各照射光制御手段に要求される仕様に応じて、ズームレンズ手段の焦点との関係で、照射光制御手段を配設すればよい。
【００６２】
また、照射光制御手段は、調色手段、調光手段、形状制御手段、光沢制御手段に限らないことは勿論のこと、照射光制御手段を２種類又は３種類配設するものであってもよい。
【００６３】
次に、本発明ループ状シートの他の実施形態を図を参照して説明する。図１１は、調色手段として全体側面形状が直線状の透光性ループ状カラーフィルム１２を示している。このフィルム１２は、単位カラーフィルムをなし、本実施形態においては、６単位のカラーフィルムからなっている。これら単位フィルムは、縦横の長さが略同じで同形状であり、第１単位のカラーフィルム１２Ａは青色、第２単位のカラーフィルム１２Ｂは赤色、第３単位のカラーフィルム１２Ｃは緑色、第４単位のカラーフィルム１２Ｄは青色、第５単位のカラーフィルム１２Ｅは赤色、第６単位のカラーフィルム１２Ｆは緑色、として構成されている。
【００６４】
したがって、図示の状態では、光源手段に対して、前面に位置しているフィルム２０ｆは、赤色の第２単位のカラーフィルム１２Ｂであり、後面に位置しているフィルム２０ｂも赤色の第３単位のカラーフィルム１２Ｅである。よって、同色のフィルムが対向しており、光源手段から光が照射される部分２０の透過光は赤色になる。フィルムを回動させて単位フィルム毎に対応させると、前面、後面に位置するフィルムは、同様に同色が対向することとなり、つまり、青色の第１単位のカラーフィルム１２Ａと第４単位のカラーフィルム１２Ｄ、緑色の第３単位のカラーフィルム１２Ｃと第６単位のカラーフィルム１２Ｆとが対向することとなり、光源手段から光が照射される部分２０のフィルム前面２０ｆ及び後面２０ｂが、常に一定の組合わせで対向するため、単純な構成により所定の色光を投光することができる。
【００６５】
これは、光源手段から光が照射される部分２０を中心として、フィルム前面２０ｆと後面２０ｂを想定した場合、フィルム前面２０ｆと後面２０ｂの両側の長さ、すなわち、図示上、フィルム前面２０ｆの右側端からフィルム後面の右側端に至るまでの長さＬ１とフィルム前面２０ｆの左側端からフィルム後面の左側端に至るまでの長さＬ２とが略同じであるということに起因している。
【００６６】
なお、上記説明において、カラーフィルムの色は例示的であり、青、赤、緑に限るものではなく、勿論他の色を適用してもよい。また、フィルム前面及び後面が、常に一定の組合わせで対向する場合、同色の組合わせではなく、異色の組合わせでもよい。
【００６７】
以上のように、本実施形態によれば、単位カラーフィルム１２は、ループ状カラーフィルム１２の回動によっても、光源手段に対して前面に位置するフィルムと後面に位置するフィルムとが常に一定の組合わせでずれることなく、相互に対向することになり、所望の照射光に制御するのが容易となる効果が期待できる。また、本実施形態の場合には、従動ローラを不要とすることができるものである。
【００６８】
さらに、本実施形態は、調色手段に限らず、調光手段等、他の照射光制御手段に採用してもよい。この場合においても、所望の照射光に制御するのが容易となる効果が期待できる。
【００６９】
本発明においては、ループ状フィルムの位置決めマーカは必ずしも必要ではなく、例えば、モータ等を照明装置制御機構で全てプログラム制御し、演出内容の進行に応じて照射光を制御するようにしてもよい。
【図面の簡単な説明】
【００７０】
【図１】本発明の照明装置の第１の実施形態を示す概略説明図である。
【図２】同照射光制御手段としての調光手段を示す概略斜視図である。
【図３】同調光手段の一部を取り出して示す展開図である。
【図４】同他の調光手段の一部を取り出して示す展開図である。
【図５】同他の調光手段の一部を取り出して示す展開図である。
【図６】本発明の照明装置の第２の実施形態を示す概略説明図である。
【図７】同照射光制御手段を示す概略斜視図である。
【図８】同照射光制御手段として調色手段の一部を取り出して示す展開図である。
【図９】同照射光制御手段として形状制御手段の一部を取り出して示す展開図である。
【図１０】同照射光制御手段として光沢制御手段の一部を取り出して示す展開図である。
【図１１】同照射光制御手段として調色手段の他の実施形態を示す概略側面図である。
【符号の説明】
【００７１】
７    ：光源手段
８    ：ズームレンズ手段
１５  ：ズームレンズ手段の焦点
１０  ：照射光制御手段
１０  ：調光手段
１０ｂ：調色手段
１０ｃ：形状制御手段
１０ｄ：光沢制御手段
【図１】
2008084784.tif 000003
【図２】
2008084784.tif 000004
【図３】
2008084784.tif 000005
【図４】
2008084784.tif 000006
【図５】
2008084784.tif 000007
【図６】
2008084784.tif 000008
【図７】
2008084784.tif 000009
【図８】
2008084784.tif 000010
【図９】
2008084784.tif 000011
【図１０】
2008084784.tif 000012
【図１１】
2008084784.tif 000013